(57)【要約】      （修正有）【課題】エアバッグの規律的な膨張及びエア漏れにより、手部及び脚部に対して規律に按摩でき、ネック部、肩部や腰部などの部位の病理的変化を緩和し、更に、治療することもできる手部及び脚部用按摩器を提供する。【解決手段】その下端面に掌の反対面と足の表とに対応する上エアバッグ１２が設けられ、前記上エアバッグがエア弁１３と連接する天板１１と、その上端面に掌と足の裏とに対応する下エアバッグ１５が設けられ、前記下エアバッグがエア弁と連接する底板１４と、前記下エアバッグに設けられる前記エア弁及び前記上エアバッグに設けられる前記エア弁と連通するようにそれぞれ連接するエアポンプ１９と、を含む。【選択図】図１
0003169199.tif 000002
【実用新案登録請求の範囲】
【請求項１】
その下端面に掌の反対面と足の表とに対応する上エアバッグが設けられ、前記上エアバッグがエア弁と連接する天板と、
その上端面に掌と足の裏とに対応する下エアバッグが設けられ、前記下エアバッグがエア弁と連接する底板と、
前記下エアバッグに設けられる前記エア弁及び前記上エアバッグに設けられる前記エア弁と連通するようにそれぞれ連接するエアポンプと、
を含むことを特徴とする手部及び脚部用按摩器。
【請求項２】
前記天板の一端が支持枠に連接され、前記支持枠には、前記エアポンプと、前記エアポンプと電気的に連接して前記エアポンプを制御するボタンと、が取り付けられ、前記支持枠には、電力供給ユニットと電気的に連接する電源挿入口が成形されていることを特徴とする、請求項１に記載の手部及び脚部用按摩器。
【請求項３】
前記天板の下端面にある前記上エアバッグは単層な構成であることを特徴とする、請求項１に記載の手部及び脚部用按摩器。
【請求項４】
前記底板の上端面にある前記下エアバッグは三層半な構成であることを特徴とする、請求項１に記載の手部及び脚部用按摩器。
【請求項５】
前記支持枠の下端面には、手首部に対応するエアバッグが設けられることを特徴とする、請求項２に記載の手部及び脚部用按摩器。
【請求項６】
前記底板の上端面には、手首部に対応するエアバッグが設けられることを特徴とする、請求項１に記載の手部及び脚部用按摩器。
【請求項７】
前記上エアバッグと前記下エアバッグとの両側の間には、少なくとも一つのゴムバンドが連接されることを特徴とする、請求項１に記載の手部及び脚部用按摩器。
【請求項８】
手部及び脚部用按摩器は、椅子の手摺と足のせとにそれぞれ設けられることを特徴とする、請求項１に記載の手部及び脚部用按摩器。
【考案の詳細な説明】
【技術分野】
【０００１】
本考案は、按摩器に関し、特に手部及び脚部用按摩器に関するものである。
【背景技術】
【０００２】
経済の高速の発展及び科学技術の高速の進展に従って、国民の生活的歩調が加速されている。仕事状態では、国民の身体が緊張状態にあるため、関節が退化し易く、筋肉も疲労し易い。特に、事務所で仕事をやる国民は、同じ座り姿勢で長時間に座るため、ネック部、肩部、腰部や足部などの関節及び筋肉には病理的変化が発生し易い。上記の問題を解決するために、身体の各部位を按摩する按摩器が開発されて市販している。各種類の按摩器により、筋肉及び神経を緩和でき、血行を良くすることもできる。現在、按摩器は各家庭の不可欠なものになった。
【０００３】
市販されている按摩器は、ネック部、肩部や腰部などの病理的変化が発生し易い部位に対して按摩し、上記部位の病理的変化を緩和できるが、根本的に治療することができない。実際に、脚部及び手部は人体の各器官の反射区を集中する処であり、脚部及び手部にある各器官の反射区を按摩することにより、血行を良くすることができ、上記部位の病理的変化を緩和し、更に、治療することもできる。
【考案の概要】
【考案が解決しようとする課題】
【０００４】
本考案の主な目的は、エアバッグの規律的な膨張及びエア漏れにより、手部及び脚部に対して規律に按摩でき、ネック部、肩部や腰部などの部位の病理的変化を緩和し、更に、治療することもできる手部及び脚部用按摩器を提供することにある。
【課題を解決するための手段】
【０００５】
本考案の手部及び脚部用按摩器によると、その下端面に掌の反対面と足の表とに対応する上エアバッグが設けられ、前記上エアバッグがエア弁と連接する天板と、
その上端面に掌と足の裏とに対応する下エアバッグが設けられ、前記下エアバッグがエア弁と連接する底板と、
前記下エアバッグに設けられる前記エア弁及び前記上エアバッグに設けられる前記エア弁と連通するようにそれぞれ連接するエアポンプと、
を含むことを特徴とする。
【０００６】
本考案の手部及び脚部用按摩器によると、前記天板の一端が支持枠に連接され、前記支持枠には、前記エアポンプと、前記エアポンプと電気的に連接して前記エアポンプを制御するボタンと、が取り付けられ、前記支持枠には、電力供給ユニットと電気的に連接する電源挿入口が成形されていることを特徴とする。
【０００７】
本考案の手部及び脚部用按摩器によると、前記天板の下端面にある前記上エアバッグは単層な構成であることを特徴とする。
【０００８】
本考案の手部及び脚部用按摩器によると、前記底板の上端面にある前記下エアバッグは三層半な構成であることを特徴とする。
【０００９】
本考案の手部及び脚部用按摩器によると、前記支持枠の下端面には、手首部に対応するエアバッグが設けられることを特徴とする。
【００１０】
本考案の手部及び脚部用按摩器によると、前記底板の上端面には、手首部に対応するエアバッグが設けられることを特徴とする。
【００１１】
本考案の手部及び脚部用按摩器によると、前記上エアバッグと前記下エアバッグとの両側の間には、少なくとも一つのゴムバンドが連接されることを特徴とする。
【００１２】
本考案の手部及び脚部用按摩器によると、手部及び脚部用按摩器は椅子の手摺と足のせとにそれぞれ設けられることを特徴とする。
【考案の効果】
【００１３】
本考案の手部及び脚部用按摩器によれば、エアバッグの規律的な膨張及びエア漏れにより、手部及び脚部に対して規律に按摩でき、ネック部、肩部や腰部などの部位の病理的変化を緩和し、更に、治療することもできるという効果を有する。
【図面の簡単な説明】
【００１４】
【図１】本考案の一実施例の分解斜視図である。
【図２】本考案の一実施例の組合済み状態の斜視図である。
【図３】本考案の一実施例の作業原理を示す模式図である。
【図４】本考案の一実施例が手部の按摩に適用される状態を示す模式図である。
【図５】図４のエアバッグが充気されて膨張している状態を示す模式図である。
【図６】本考案の別の実施例が手部の按摩に適用される状態を示す模式図である。
【図７】本考案の別の実施例が脚部の按摩に適用される状態を示す模式図である。
【図８】本考案の実施例が按摩椅子に組み付けられた状態を示す模式図である。
【考案を実施するための形態】
【００１５】
以下、本考案の実施の形態を図面に基づいて説明する。
まず、図１及び図２を参照する。本考案の手部及び脚部用按摩器は、天板１１と、底板１４と、支持枠１８と、エアポンプ１９と、ボタン２０と、を含む。
【００１６】
天板１１は、スポンジで作製されたものであり、手部又は脚部を収容できる輪郭に成形され、その下端面に掌の反対面と足の表とに対応する上エアバッグ１２が設けられる。上エアバッグ１２は、単層の構成であり、エア弁１３と連接する。
【００１７】
底板１４は、その上端面に掌と足の裏とに対応する下エアバッグ１５が設けられ、図５に示すように、三層半の構成であり、下エアバッグ１５がエア弁１６と連接する。上エアバッグ１２と下エアバッグ１５の間には、手部又は脚部を収容する空間が形成される。底板１４はマット１７の上で設けられる。
【００１８】
支持枠１８は、本体１８０と、スポンジ１８１と、を含む。本体１８０は、アーチ状を呈し、天板１１の一端に組み付けられ、その中央の近傍に二つのリブ１８２が成形され、その側辺に電源挿入口１８３が成形される。スポンジ１８１は、アーチ状を呈し、本体１８０に組み付けられ、その中央の近傍に切り欠１８４が設けられる。切り欠１８４と二つのリブ１８２とから収容空間が構成される。
【００１９】
エアポンプ１９は、支持枠１８の本体１８０に組み付けられ、管路を介してエア弁１３及びエア弁１６と連通する。
【００２０】
ボタン２０は、切り欠１８４と二つのリブ１８２とから構成される収容空間に組み付けられる。
【００２１】
図３に示すように、電源挿入口１８３は電力供給ユニット２１と電気的に連接し、電力供給ユニット２１からの電力がボタン２０に供給される。ボタン２０は、エアポンプ１９と電気的に連接し、エアポンプ１９のオン・オフを制御する。ボタン２０を押圧すると、エアポンプ１９が起動して、エア弁１３とエア弁１６とを介してエアポンプ１９が上エアバッグ１２と下エアバッグ１５とに対して規律に充気してエアを漏れる。
【００２２】
図４及び図５に示すように、上エアバッグ１２と下エアバッグ１５の間にある収容空間に手３０を置いて、ボタン２０を押圧してエアポンプ１９を起動すると、上エアバッグ１２と下エアバッグ１５とが規律に充気してエアを漏れ、これにより、掌及び掌の反対面が按摩される。そして掌に緊密に集中する反射区を按摩する力の強さを増加するために、下エアバッグ１５が三層半の構成にされ、これにより、按摩効果が更に増加する。
【００２３】
按摩効果を増加するために、図６に示すように、支持枠１８の本体１８０の下端面には、手首部に対応するエアバッグ２２が設けられ、そうすると、手首部を按摩することができる。一方、エアバッグ２２は底板１４の上端面の手首部に対応する箇所に設けられてもよい。上エアバッグ１２と下エアバッグ１５との両側はゴムバンド２３によって連接してもよい。ゴムバンド２３の弾力により、上エアバッグ１２と下エアバッグ１５との膨張が減衰され、そして上エアバッグ１２と下エアバッグ１５とのエア漏れの速度が加速される。これにより、按摩の力の強さを増加でき、按摩効果が更に増加する。
【００２４】
図７に示すように、本考案の按摩器が脚部に適用される場合には、脚４０が上エアバッグ１２と下エアバッグ１５とから構成される収容空間に置かれる。脚部の按摩の作業原理は、手部の按摩の作業原理と同じであるため、説明を省略した。
【００２５】
図８に示すように、本考案の按摩器は椅子５０に合せて利用できる。椅子５０は、一般の椅子でもいいし、按摩椅子でもよい。本考案の手部及び脚部用按摩器は、椅子５０の手摺と足のせとにそれぞれ設けられ、ユーザの手部と脚部とを同時に按摩でき、専門的な按摩椅子に合せることにより、ユーザの身体の複数の部位に対して按摩をすることができ、按摩効果が更に増加する。
【産業上の利用可能性】
【００２６】
本考案は、按摩器に適用することができる。
【符号の説明】
【００２７】
１１：天板
１２：上エアバッグ
１３：空気弁
１４：底板
１５：下エアバッグ
１６：空気弁
１７：マット
１８：支持枠
１９：エアポンプ
２０：ボタン
２１：電力供給ユニット
２２：エアバッグ
２３：ゴムバンド
３０：手
４０：脚
５０：椅子
５１：手摺
５２：足のせ
１８０：本体
１８１：スポンジ
１８２：リブ
１８３：電源挿入口
１８４：切り欠
【図１】
0003169199.tif 000003
【図２】
0003169199.tif 000004
【図３】
0003169199.tif 000005
【図４】
0003169199.tif 000006
【図５】
0003169199.tif 000007
【図６】
0003169199.tif 000008
【図７】
0003169199.tif 000009
【図８】
0003169199.tif 000010